(57)【要約】      （修正有）【課題】着脱可能な座席部の快適な座り心地が得られ、しかも、取り付けた状態を容易に確認することができる椅子の座席部取り付け構造を提供する。【解決手段】座席部６と背もたれ部７とそれらを着脱可能に保持する装着部２、３を形成した椅子本体１とからなる。座席装着部２には、座席部の外縁側のみを保持する枠部２ａが形成され、枠部に着脱可能に装着される座席部枠体６ａにはクッション９が配設される。座席装着部の枠部の内側と座席部の枠体の内側は、ロック体２０によって連結され、ロック体は、座席装着部の枠部に固定された支点部２ｂを支点として回動する回動部と、座席部の枠体に設けられた係合部に係合するロック部を有し、ロック部は、係合部から解放された状態では回動部を支点として枠部２ａの下方に垂下するように構成されている。【選択図】図２
0003198381.tif 000002
【実用新案登録請求の範囲】
【請求項１】
座席部と背もたれ部及び前記座席部と前記背もたれ部を保持する装着部を形成した椅子本体とを有し、前記座席部と前記背もたれ部を着脱可能に取付固定した椅子であって、
前記椅子本体に形成した座席装着部は、前記座席部の外縁側のみを保持する枠部が形成され、
前記座席部は、前記座席装着部の枠部に着脱可能に装着される枠体にクッションが配設され、
前記座席装着部の枠部の内側と前記座席部の枠体の内側との間はロック体によって連結され、
前記ロック体は、前記座席装着部の枠部に固定された支点部を支点として回動する回動部と、前記座席部の枠体に設けられた係合部に係合するロック部が形成され、
前記ロック体のロック部が前記座席部の係合部から解放された状態では回動部を支点として前記枠部の下方に垂下するように構成した椅子の座席部取付構造。
【請求項２】
座席部の枠体の内側に固定されたロック体のロック部は、座席部の係合部から解放された状態で前記枠体の下方から突出する長さに形成した請求項１に記載の椅子の座席部取付構造。
【請求項３】
ロック体のロック部は、重心位置を回動部の垂線から偏奇させた請求項１に記載の椅子の座席部取付構造。
【考案の詳細な説明】
【技術分野】
【０００１】  本考案は、座席部が椅子本体に着脱自在に装着された椅子に関し、詳しくは、座席部を椅子本体に取付固定する椅子の座席部取り付け構造に関する。
【背景技術】
【０００２】  一般に使用されている椅子として、例えば、布張りクッションを用いた椅子は、表面のカバー（布張り地）が汚れ易くかつ摩耗や破れを生じ易いため、それらのクリーニングおよびメンテナンスを可能にすることが望まれている。また、椅子のカバーを取り替えることにより気分転換を図ったり、装飾性を高めたり、ファション性を高めることが望まれている。さらには、クッションの交換で硬さを調節したり、弾力性を復元させたりして座り心地やデザインをアップグレードまたは変化させることも望まれている。【０００３】  これらの要望を実現するために、従来から、特開２００７−１１７６００号公報（特許文献１）、実用新案登録第３１８９５４５号公報（特許文献２）、特開２００１−２９９４９４号公報（特許文献３）及び、特開２００２−３１５７８５号公報（特許文献４）などに開示されているように、座部と背もたれを着脱可能とした椅子が提案されている。
【先行技術文献】
【特許文献】
【０００４】
【特許文献１】特開２００７−１１７６００号公報
【特許文献２】実用新案登録第３１８９５４５号公報
【特許文献３】特開２００１−２９９４９４号公報
【特許文献４】特開２００２−３１５７８５号公報
【考案の概要】
【考案が解決しようとする課題】
【０００５】  上記特許文献１乃至４に示された椅子は、座部や背もたれを着脱可能に構成することでクリーニングおよびメンテナンスを可能にすること、或いは、装飾性やファション性を高めるといった要望に対応することは可能となった。しかしながら、最適な座り心地が得られるものではなかった。すなわち、座部や背もたれを椅子に着脱するため、座部や背もたれを強固に形成する必要があり、このため、座部や背もたれの背面側に剛性を有する板材が設けられている。また、着脱可能であっても椅子として許容された厚さを超えることができないため、必然的に座部や背もたれのクッションを薄くしなければならなかった。このように、クッションが薄いために、使用者が座ったときに背面側の板材に当接することから、座付き感が生ずる問題があり、座部や背もたれを着脱可能に構成した椅子においては、座り心地を犠牲にせざるを得ない課題があった。【０００６】  また、座部の背面側に設けた剛性を有する板材を椅子に取り付ける構成として、特許文献１、特許文献２に示された椅子にあっては、椅子と座部とが面ファスナーにより取り付けられ、特許文献３示された椅子は、雄と雌のスナップコネクタが用いられ、特許文献４示された椅子は、突起を基板の嵌合孔に嵌合する手段が用いられている。しかしながら、これらの取り付け手段は、面の接合により取り付けるため、やはり座り心地を犠牲にせざるを得なかった。さらに、取り付けた状態では、取り付け部分が隠蔽されることから、取り付け状態を確認することができないため、不意に座部が外れて事故を招く恐れがある。【０００７】  本考案が解決しようとする課題は、着脱可能な椅子における座席部の快適な座り心地が得られ、しかも、取り付けた状態を容易に確認することができる椅子の座席部取り付け構造を提供することにある。
【課題を解決するための手段】
【０００８】  そこで、本考案による椅子は、座席部と背もたれ部及び前記座席部と前記背もたれ部を保持する装着部を形成した椅子本体とを有し、前記座席部と前記背もたれ部を着脱可能に取付固定した椅子であって、前記椅子本体に形成した座席装着部は、前記座席部の外縁側のみを保持する枠部が形成され、前記座席部は、前記座席装着部の枠部に着脱可能に装着される枠体にクッションが配設され、前記座席装着部の枠部の内側と前記座席部の枠体の内側との間はロック体によって連結され、前記ロック体は、前記座席装着部の枠部に固定された支点部を支点として回動する回動部と、前記座席部の枠体に設けられた係合部に係合するロック部が形成され、前記ロック体のロック部が前記座席部の係合部から解放された状態では回動部を支点として前記枠部の下方に垂下するように構成したことを要旨としている。【０００９】  また、座席部の枠体の内側に固定されたロック体のロック部は、座席部の係合部から解放された状態で前記枠体の下方から突出する長さに形成することが望ましい。【００１０】  さらに、ロック体のロック部は、重心位置を回動部の垂線から偏奇させることが望ましい。
【考案の効果】
【００１１】  本考案による椅子の座席部取り付け構造は、座席装着部の枠部と座席部の枠体とを連結するロック体のロック部が座席部の係合部から解放された状態で、回動部が座席装着部の枠部に固定された支点部を支点として回動して下方に垂下するように構成しているので、係合部が下方に垂下することによって、ロック体によりロックされていないことが目視によって判別することができる、これによって、椅子本体から座席部が離脱する危険性を事前に確認できるので、椅子に求められる安全性を確保することができる。また、ロック体が座席装着部の枠部の内側と座席部の枠体の内側との間に設けられているので、座席部のクッションの自由な移動を妨害しないことから、クッション性を確保することができる。【００１２】  また、座席部の枠体の内側に固定されたロック体のロック部を、座席部の係合部から解放された状態で枠体の下方から突出する長さに形成することにより、椅子本体の側方からロック部の有無を確認することによって、ロック状態を目視によって容易に判別することができ、安全性を一層高めることが可能となる。【００１３】  さらに、ロック体のロック部の重心位置を回動部の垂線から偏奇させることによって、ロック体のロック部が座席部の係合部から解放されたとき、ロック部が重力によって回動部を支点に回動して下方に垂下するので、ロックが解除されたときには、速やかに目視によって危険性を確認することが可能となる。
【図面の簡単な説明】
【００１４】
【図１】  本発明に関わる椅子を示す斜視図である。
【図２】  椅子本体と座席部を示す断面図である。
【図３】  座席部のクッションを示す一部断面斜視図である。
【図４】  座席部に帯状弾性板を設けた状態を示す平面図である。
【図５】  椅子に着座者が着座した状態を示す側面図である。
【図６】  ロック体の第１の実施例を示す正面図である。
【図７】  （Ａ）（Ｂ）（Ｃ）は、図６に示すロック体の動作を示す説明図である。
【図８】  ロック体の第２の実施例を示す正面図である。
【図９】  ロック体の第３の実施例を示す正面図である。
【考案を実施するための形態】
【００１５】  本考案による椅子の座席部取り付け構造は、座席部と背もたれ部及び前記座席部と前記背もたれ部を保持する装着部を形成した椅子本体とを有し、前記座席部と前記背もたれ部を着脱可能に取付固定した椅子であって、前記椅子本体に形成した座席装着部は、前記座席部の外縁側のみを保持する枠部が形成され、前記座席部は、前記座席装着部の枠部に着脱可能に装着される枠体にクッションが配設され、前記座席装着部の枠部の内側と前記座席部の枠体の内側との間はロック体によって連結され、前記ロック体は、前記座席装着部の枠部に固定された支点部を支点として回動する回動部と、前記座席部の枠体に設けられた係合部に係合するロック部が形成され、前記ロック体のロック部が前記座席部の係合部から解放された状態では回動部を支点として前記枠部の下方に垂下するように構成している。
【００１６】  以下、図面に基づいて本考案の実施例を詳細に説明する。図１、図２に示す椅子本体１は、座席装着部２及び背もたれ装着部３と、２本の前脚部４及び２本の後脚部５とを有している。座席装着部２は前脚部４及び後脚部５によって支持され、背もたれ装着部３は後脚部５によって支持されている。座席装着部２は略四角形の枠状の枠部２ａが形成され、この枠部２ａは上下方向に貫通している。さらに、枠部２ａの内面には段差２ｂが形成され、後述する座席部６の枠体６ａを当接させるようにしている。一方、背もたれ装着部３は、図１に示すように、略三角形状の枠に形成され、枠内は透過している。さらに、座背もたれ装着部３の内面に段差３ａが形成され、後述する背もたれ部７の枠体７ａを当接させるようにしている。
【００１７】  座席部６は、図２に示すように、枠体６ａ、帯状弾性板８、クッション９、及び、繊維シート１０によって構成されている。座席部６の外縁側に設けられた枠体６ａは、外形が椅子本体１の座席装着部２の内側の形状に対応するように、木材によって形成され、枠体６ａの内部は貫通している。この枠体６ａの下側には、図４に示すように、伸縮自在な弾性を有する帯状弾性板８の両端が固着されている。帯状弾性板８は、例えばゴム或いは弾性合成樹脂からなるシート状に形成され、２枚の帯状弾性板８を離間させて枠体６ａの下側に両端を固着している。なお、この帯状弾性板８は、材質、板厚、弾力等によって適宜に選択するが、必要なクッション性能を得るために、帯状弾性板８を２枚づつ帯格子状にクロスさせて固着しても良く、また、縦方向に２枚、横方向に１枚の帯状弾性板８を固着しても良い。
【００１８】  帯状弾性板８を固着することにより、枠体６ａの上面には凹所が形成され、この凹所内である帯状弾性板９の上側には、図３に示すように、クッション９を構成する立体網状クッション９ａが配設され、さらに、立体網状クッション９ａの上には、ラテックスクッション９ｂが枠体６ａの上面まで覆うように載置されている。このラテックスクッション９ｂの上には繊維シート１０を重ねた状態で覆い、枠体６ａとクッション９をカバー１１によって被覆し、座席部６を布張りクッションとしている。
【００１９】  クッション９としての立体網状クッション９ａは、弾性のある弾性合成樹脂（ポリエーテルエステル系繊維などからなり、弾性合成樹脂からなる中実または中空な連続線条体を曲がりくねらせ多数の線条体ループを形成し、線条体ループが相互に接合された三次元立体構造網状体であり、必要な弾性力、通気性を有している。線条体ループの線径は約１ｍｍ程度に設定され、連続線条体を曲がりくねらせた多数の線条体ループによって、３ｃｍから６ｃｍ程度の厚さの平板に形成されている。そして、三次元立体構造網状体の密度は２０ｋｇ〜４０ｋｇ／立方メートル程度に設定され、この密度によって所望の硬さ或いは反発力を得ることができる。この立体網状クッション９ａとしては、市販されている商品名「ブレスエアー」（東洋紡株式会社製）を使用することができる。
【００２０】  また、立体網状クッション９ａの上に覆うラテックスクッション９ｂは、天然ゴムを発泡させたラテックスフォームであり、１ｃｍから７ｃｍ程度の厚さの矩形状の平板に形成されている。そして、このラテックスクッション９ｂは、重さと同じ比率だけ沈み、圧力と同等の力で内側から反発する正反発性を有している。さらに、ラテックスクッション９ｂには、厚み方向に多数の孔が整列状態で形成されている。多数の孔によって、横方向の応力にも柔軟に追従させることができるようになっている。ラテックスクッション９ｂは、商品名ボディドクター（グローバル産業株式会社製）を使用することができる。
【００２１】  ラテックスクッション９ｂの上を覆う繊維シート１０は、青・みどり色の色素化合物からなる金属フタロシアニンを織物や不織布に染色することにより含有させたシートであり、抗アレル物質、消臭、抗菌機能を有していることが知られている。この繊維シート１０は、１ｍｍ前後の厚さの平板に形成されている。繊維シート１０は、商品名アレルキャッチャー（ダイワボウノイ株式会社製）を使用することができる。なお、この繊維シート１０は、椅子として消臭、抗菌機能を必要としない場合は省略しても良い。
【００２２】  このように構成された座席部６は、枠体６ａの外形が椅子本体１の座席装着部２の内側の形状に形成されているので、図２に示すように、座席装着部２の内面に嵌め込み、段差２ａに当接させることによって装着する。その後、座席部６が離脱しないように、座席装着部２の枠部の内側と座席部６の枠体６ａの内側との間が、後述する複数個のロック体２０により複数個所が連結されている。
【００２３】  一方、背もたれ装着部３に装着する背もたれ部７は、前述した座席部６とほぼ同じように構成されているが、相違する点は、背もたれ部７の背面を板材によって被覆していることである。この板材は、枠体７ａの背面側に固着され、これにより枠体７ａの上面には凹所が形成され、この凹所内である板材の上側には、前述した座席部６と同様に、クッションを構成する立体網状クッション、ラテックスクッション、さらに繊維シートが重ねられている。さらに、枠体７ａとクッションを布カバーによって被覆し、背もたれ部７を布張りクッションとしている。なお、背もたれ部７の背面を覆うように、前述した帯状弾性板を背面側全面に固着しても良い。
【００２４】  このように構成された背もたれ部７は、枠体７ａの外形が椅子本体１の背もたれ装着部３の内側の形状に形成されているので、背もたれ装着部３の内面に嵌め込み、段差３ａに当接させることによって装着する。その後、背もたれ部７が離脱しないように、例えば木ねじ等によって固着する。
【００２５】  このように構成した椅子は、図５に示すように、使用者１３が座席部６に座ると、体重によってクッション９を構成する立体網状クッション９ａ、ラテックスクッション９ｂが圧縮され、体重による加圧部分が下降する。このクッション９が下降すると、帯状弾性板８が受け止め、適度の弾力によって反発し、クッション９の下降を抑制する。このとき、帯状弾性板８に対応する座席装着部２が空間となっているので、図示のように、クッション９と帯状弾性板８が下降しても抑制されることがなく沈み込む。これにより、クッション９と帯状弾性板８が自由に移動し、これらの相乗効果によって快適なクッション性が確保される。
【００２６】  因みに、クッション９の厚さを約６ｃｍとし、ゴム製の帯状弾性板８の厚さを０．８ｍｍとした場合、平均的な体重の使用者が座った状態で、クッション９と帯状弾性板８の下降寸法は約３ｃｍ程度であった。この下降寸法は、クッション９を構成する立体網状クッション９ａ、ラテックスクッション９ｂの硬度、反発力或いは厚さ、帯状弾性板８の弾力や面積或いは厚さを適宜に設定することによって、任意のクッション性と座り心地を得ることができる。
【００２７】  図６、図７は、座席装着部２の枠部の内側と座席部６の枠体６ａの内側との間を連結するロック体の第１の実施例を示している。ロック体２０は、金属板やプラスチック板によって略長四角形に形成され、基端側には長円状の透孔からなる回動部２０ａが形成され、先端側には略だるま状の透孔からなるロック部２０ｂが形成されている。一方、座席装着部２の枠部２ａには支点部２ｂが固定されている。この支点部２ｂは、例えば、丸木ねじを使用することができ、回動部２０ａの透孔の幅は支点部２ｂである丸木ねじの頭部よりも小さく、丸木ねじの軸部よりもやや大きく形成され、ロック体２０が回転自在となるように構成されている。また、座席部６の枠体６ａには係合部６ｂが固定されている。この係合部６ｂも例えば丸木ねじを使用することができ、略だるま状に形成されたロック部２０ｂの大きい径の透孔部分の内径は、丸木ねじの頭部が貫通するように大きく形成され、大きい径の透孔部分から連通した長円状の透孔部分の幅は、丸木ねじの頭部よりも小さく、軸部よりもやや大きく形成されている。
【００２８】  また、座席装着部２の枠部２ａに固定されている支点部２ｂと、座席部６の枠体６ａに固定されている係合部６ｂを結ぶ線Ｂは、図６に示すように、垂線Ａに対して角度θだけ傾斜させている。
【００２９】  座席装着部２と座席部６が連結されていない状態では、図７（Ａ）に示すように、ロック体２０は、先端側のロック部２０ｂが座席装着部２の枠部２ａの下方に垂下している。座席部６を連結するときは、ロック体２０を矢示の方向に回動させ、図７（Ｂ）に示すように、座席部６の枠体６ａの係合部６ｂにロック部２０ｂの大きい径の透孔部分を挿入した後、ロック体２０を矢示の方向に移動させる。これにより、係合部６ｂにロック部２０ｂの長円状の透孔部分が挿入され、丸木ねじの頭部に係合することによりロックされて座席装着部２と座席部６が連結される。
【００３０】  一方、ロック体２０によるロックが不完全の場合には、支点部２ｂと係合部６ｂを結ぶ線Ｂが垂線Ａに対して角度θだけ傾斜しているので、図７（Ｃ）に示すように、ロック体２０は支点部２ｂを支点としてロック部２０ｂ側が重力によって矢示で示す時計方向に回転する。これにより、ロック体２０のロック部２０ｂが座席部６の係合部６ｂから解放された状態では、支点部２ｂを支点としてロック部２０ｂが下方に垂下する。このとき、ロック部２０ｂが座席装着部２の枠部２ａの下端よりも突出するように設定していると、椅子本体の側方からロック部２０ｂの有無を確認することによって、ロック状態を目視によって容易に判別することができる。
【００３１】  図８は、ロック体の第２の実施例を示している。ロック体３０は、金属板やプラスチック板によって略Ｌ字状に形成され、基端側の回動部３０ａが座席装着部２の枠部２ａに固定された支点部２ｂによって回動自在に支持されている。この支点部２ｂは、前述した、例えば、丸木ねじを使用することができる。ロック体３０のロック部３０ｂは、先端側を略Ｌ字状に屈曲形成することにより形成され、内面は支点部２ｂを中心とした円弧状に形成されている。なお、ロック体３０の側面には、把持部３０ｃが一体に屈曲形成されていて、ロック体３０の回動操作を行うときに把持部３０ｂを掴むことができる。また、座席装着部２の枠部２ａには、例えば丸木ねじからなる係合部６ｂが固定されている。
【００３２】  座席部６を連結するときは、ロック体３０を半時計方向に回動させ、座席部６の枠体６ａの係合部６ｂにロック部３０ｂを屈曲部分まで押し込むことにより、丸木ねじの頭部に係合することによりロックされて座席装着部２と座席部６が連結される。なお、図８には明示していないが、図８に示すロック状態で、振動等によってロック部３０ａが変位しないように、ロック部３０ｂが屈曲部分まで押し込まれた位置のロック部３０ｂの内面に、浅く形成した凹所を形成し、この凹所に係合部６ｂを落とし込むようにすることが望ましい。
【００３３】  一方、ロック体３０によるロックが不完全の場合には、前述した第１の実施例と同様に、支点部２ｂと係合部６ｂを結ぶ線Ｂが垂線Ａに対して角度θだけ傾斜しているので、ロック体３０は支点部２ｂを支点としてロック部３０ｂ側が重力によって矢示で示す時計方向に回転する。これにより、ロック体３０のロック部３０ｂが座席部６の係合部６ｂから解放された状態では、支点部２ｂを支点としてロック部３０ｂが下方に垂下し、ロック部３０ｂが座席装着部２の枠部２ａの下端よりも突出することにより、椅子本体の側方からロック部２０ｂの有無を確認することができる。
【００３４】  図９は、ロック体の第３の実施例を示している。ロック体４０は例えば弾性を有する金属板やプラスチック板によって形成され、ロック体４０の基端側の回動部４０ａは蝶板のように形成されている。このロック体４０の短尺側は、座席装着部２の枠部２ａに木ねじ等により固定され、長尺側のロック部４０ｂが回動自在に支持されている。ロック部４０ｂの先端側は、図９に示すように、Ｌ字状に屈曲形成された先端が半円状に屈曲されている。一方、座席部６の枠体６ａに固定された係合部６ｃは、側面から見て略し字状に形成され、先端側の凹部に半円状に屈曲形成されたロック部４０ｂが嵌め込まれるようになっている。
【００３５】  座席部６を連結するときは、ロック体４０を半時計方向に回動させ、座席部６の枠体６ａの係合部６ｃにロック部４０ｂの先端を押し込むことにより、係合部６ｃの半円状の凹部に、ロック部４０ｂの先端の半円状の屈曲部分が嵌め込まれて座席装着部２と座席部６が連結される。
【００３６】  このように構成された第３の実施例においても、ロック体４０によるロックが不完全の場合には、ロック体４０のロック部４０ｂの長尺側が図示右方に傾斜しているので、ロックが解除された状態では、ロック部４０ｂの先端側が重力によって時計方向に回転する。これによって、ロック部４０ｂが回動部４０ａを中心に回動して下方に垂下し、ロック部４０ｂが座席装着部２の枠部２ａの下端よりも突出することにより、椅子本体の側方からロック部４０ｂの有無を確認することにより、座席装着部２と座席部６が連結されていないことを確認することができる。
【００３７】  以上、本発明を実施例に基づき具体的に説明したが、本発明は上記実施例に限定されるものではなく、その要旨を逸脱しない範囲で種々変形可能であることは言うまでもない。前述した実施例において、背もたれ部及び座席部は、四角形や楕円形或いは多角形にしても良い。また、座席部のみとした椅子にも適用可能である。
【符号の説明】
【００３８】  １      椅子本体
２      座席装着部
２ａ    枠部
２ｂ    支点部
３      背もたれ装着部
６      座席部
６ａ    枠体
６ｂ    係合部
７      背もたれ部
８      帯状弾性板
９      クッション
９ａ    立体網状クッション
９ｂ    ラテックスクッション
１０    繊維シート
２０    ロック体
２０ａ  回動部
２０ｂ  ロック部
【図１】
0003198381.tif 000003
【図２】
0003198381.tif 000004
【図３】
0003198381.tif 000005
【図４】
0003198381.tif 000006
【図５】
0003198381.tif 000007
【図６】
0003198381.tif 000008
【図７】
0003198381.tif 000009
【図８】
0003198381.tif 000010
【図９】
0003198381.tif 000011